(57)【要約】【課題】ラップフィルムを意図した位置で切断する切断部を備えつつ、ラップフィルム巻回体をコンパクトな構成で保護する。【解決手段】ラップフィルム用保持体２は、巻芯５にラップフィルム４が巻き回されたラップフィルム巻回体３を保持する。ラップフィルム用保持体２は、巻芯５の一方の端部を回動可能に保持するとともに、保持する巻芯５の軸線Ｐ方向に沿って見たときにラップフィルム巻回体３の端面よりも大きな外形を有する第１保持部１０と、第１保持部１０の外縁部に連結され、第１保持部１０によって保持される巻芯５の軸線Ｐ方向に沿って延在するガイドレール３０と、ガイドレール３０の延在方向に沿ってスライド可能にガイドレール３０に対して係合し、ラップフィルム４を切断する第１刃４１を有する切断部４０と、を備える。【選択図】図１
2019206413.tif 000002
【特許請求の範囲】
【請求項１】
巻芯の軸線周りにラップフィルムが巻き回されたラップフィルム巻回体を保持するラップフィルム用保持体であって、
前記巻芯の一方の端部を回動可能に保持するとともに、保持する前記巻芯の軸線方向に沿って見たときに前記ラップフィルム巻回体の端面よりも大きな外形を有する第１保持部と、
前記第１保持部の外縁部に連結され、前記第１保持部によって保持される前記巻芯の軸線方向に沿って延在するガイドレールと、
前記ガイドレールの延在方向に沿ってスライド可能に前記ガイドレールに対して係合し、前記ラップフィルムを切断する刃を有する切断部と、
を備える、ラップフィルム用保持体。
【請求項２】
前記第１保持部は、保持する前記巻芯の軸線方向に沿って見たときに多角形状を呈している、請求項１に記載のラップフィルム用保持体。
【請求項３】
前記第１保持部は、
前記巻芯の一方の端部を回動可能に保持するとともに、保持する前記巻芯の軸線方向に沿って見たときに前記ラップフィルム巻回体の端面よりも大きな外形を有する第１保持本体部と、
前記第１保持本体部の外縁部から前記巻芯の軸線方向に沿って延在する第１筒部と、
を有し、
前記第１筒部には、前記巻芯の軸線方向に沿って延在する第１スリットが設けられ、
前記ガイドレールは、前記第１保持本体部の外縁部に連結され、
前記ガイドレールにおける前記第１保持本体部に連結される側の端部は、前記第１スリットの延在方向に沿って前記第１スリット内に位置している、請求項１又は２に記載のラップフィルム用保持体。
【請求項４】
前記巻芯の他方の端部を回動可能に保持するとともに、保持する前記巻芯の軸線方向に沿って見たときに前記ラップフィルム巻回体の端面よりも大きな外形を有する第２保持部をさらに備え、
前記ガイドレールは、前記第１保持部の外縁部と前記第２保持部の外縁部とを連結する、請求項１〜３のいずれか一項に記載のラップフィルム用保持体。
【請求項５】
前記第２保持部は、保持する前記巻芯の軸線方向に沿って見たときに多角形状を呈している、請求項４に記載のラップフィルム用保持体。
【請求項６】
前記第２保持部は、
前記巻芯の他方の端部を回動可能に保持するとともに、保持する前記巻芯の軸線方向に沿って見たときに前記ラップフィルム巻回体の端面よりも大きな外形を有する第２保持本体部と、
前記第２保持本体部の外縁部から、前記第１保持部側に向かって前記巻芯の軸線方向に沿って延在する第２筒部と、
を有し、
前記第２筒部には、前記巻芯の軸線方向に沿って延在する第２スリットが設けられ、
前記ガイドレールは、前記第２保持本体部の外縁部に連結され、
前記ガイドレールにおける前記第２保持本体部に連結される側の端部は、前記第２スリットの延在方向に沿って前記第２スリット内に位置している、請求項４又は５に記載のラップフィルム用保持体。
【請求項７】
前記ガイドレールは、前記第１保持部の外縁部と前記第２保持部の外縁部とを、前記巻芯の軸線方向に沿って直線状に連結している、請求項４〜６のいずれか一項に記載のラップフィルム用保持体。
【請求項８】
前記切断部は、
前記ガイドレールに重ねられる本体部と、
前記本体部に連結され、前記ガイドレールに対してスライド可能に係合する係合部と、
前記本体部における前記ガイドレールに対向する面に設けられた前記刃と、
を有し、
前記係合部と前記刃とは、前記ガイドレールの延在方向に沿った位置が互いに異なっている、請求項１〜７のいずれか一項に記載のラップフィルム用保持体。
【請求項９】
前記刃は、第１刃と、第２刃と、を有し、
前記第１刃と前記第２刃とは、前記ガイドレールの延在方向に沿って前記係合部を挟み込むように前記本体部に設けられている、請求項８に記載のラップフィルム用保持体。
【請求項１０】
巻芯の軸線周りにラップフィルムが巻き回されたラップフィルム巻回体と、
請求項１〜９のいずれか一項に記載のラップフィルム用保持体と、
を備えるラップフィルム構造体。
【発明の詳細な説明】
【技術分野】
【０００１】
本発明は、ラップフィルム用保持体、及びラップフィルム構造体に関する。
【背景技術】
【０００２】
例えば、巻芯の軸線周りにラップフィルムが巻き回されたラップフィルム巻回体を収容するラップフィルム用箱がある。このようなラップフィルム用箱が、例えば特許文献１に記載されている。特許文献１に記載されたラップフィルム用箱は、ラップフィルム巻回体を収容する箱体と、箱体の開口部を覆う蓋体とを備えている。また、蓋体の端部には、巻芯の軸線方向に沿って延在する鋸刃状の切断部が設けられている。
【先行技術文献】
【特許文献】
【０００３】
【特許文献１】特開２０１３−２８４０２号公報
【発明の概要】
【発明が解決しようとする課題】
【０００４】
ここで、ラップフィルム巻回体を持ち運ぶことが考えられるが、ラップフィルム巻回体を保護するために特許文献１に記載されたラップフィルム用箱を用いた場合、ラップフィルム用箱の大きさが大きく携帯性が悪い。このため、本技術分野では、ラップフィルムを意図した位置で切断する切断部を備えつつ、ラップフィルム巻回体をコンパクトな構成で保護することが求められている。
【課題を解決するための手段】
【０００５】
本発明の一側面は、巻芯の軸線周りにラップフィルムが巻き回されたラップフィルム巻回体を保持するラップフィルム用保持体であって、巻芯の一方の端部を回動可能に保持するとともに、保持する巻芯の軸線方向に沿って見たときにラップフィルム巻回体の端面よりも大きな外形を有する第１保持部と、第１保持部の外縁部に連結され、第１保持部によって保持される巻芯の軸線方向に沿って延在するガイドレールと、ガイドレールの延在方向に沿ってスライド可能にガイドレールに対して係合し、ラップフィルムを切断する刃を有する切断部と、を備える。
【０００６】
このラップフィルム用保持体では、第１保持部の外形がラップフィルム巻回体の端面よりも大きいため、ラップフィルム巻回体の端面及び端部の角部を保護できる。また、ラップフィルム用保持体は、ラップフィルムを切断する切断部と、切断部をスライドさせるガイドレールとを備えている。このため、ラップフィルム用保持体は、切断部をガイドレールに沿ってスライドさせることによってラップフィルムを切断できる。すなわち、ラップフィルム用保持体は、意図しない位置でラップフィルムが切断されてしまうことなく、ガイドレールに沿って意図した位置でラップフィルムを容易に切断できる。このように、ラップフィルム用保持体は、ラップフィルムを意図した位置で切断する切断部を備えつつ、ラップフィルム巻回体をコンパクトな構成で保護できる。
【０００７】
ラップフィルム用保持体において、第１保持部は、保持する巻芯の軸線方向に沿って見たときに多角形状を呈していてもよい。これにより、ラップフィルム巻回体を保持するラップフィルム用保持体がテーブル等の上に置かれた場合であっても、ラップフィルム用保持体が転がることを抑制できる。
【０００８】
ラップフィルム用保持体において、第１保持部は、巻芯の一方の端部を回動可能に保持するとともに、保持する巻芯の軸線方向に沿って見たときにラップフィルム巻回体の端面よりも大きな外形を有する第１保持本体部と、第１保持本体部の外縁部から巻芯の軸線方向に沿って延在する第１筒部と、を有し、第１筒部には、巻芯の軸線方向に沿って延在する第１スリットが設けられ、ガイドレールは、第１保持本体部の外縁部に連結され、ガイドレールにおける第１保持本体部に連結される側の端部は、第１スリットの延在方向に沿って第１スリット内に位置していてもよい。この場合、ラップフィルム用保持体は、第１筒部によってラップフィルム巻回体の外周面を保護できる。また、ラップフィルム用保持体は、第１スリットを介してラップフィルムを引き出すことができ、引き出されたラップフィルムをガイドレールに沿ってスライドする切断部によって切断できる。
【０００９】
ラップフィルム用保持体は、巻芯の他方の端部を回動可能に保持するとともに、保持する巻芯の軸線方向に沿って見たときにラップフィルム巻回体の端面よりも大きな外形を有する第２保持部をさらに備え、ガイドレールは、第１保持部の外縁部と第２保持部の外縁部とを連結してもよい。この場合、ラップフィルム用保持体は、第１保持部及び第２保持部によってラップフィルム巻回体をさらに保護できる。また、例えば、ラップフィルム巻回体を保持するラップフィルム用保持体がテーブル等の上に置かれた場合であっても、ラップフィルム巻回体の外周面がテーブル等に触れることが無く、ラップフィルム巻回体がより一層保護される。
【００１０】
ラップフィルム用保持体において、第２保持部は、保持する巻芯の軸線方向に沿って見たときに多角形状を呈していてもよい。これにより、ラップフィルム巻回体を保持するラップフィルム用保持体がテーブル等の上に置かれた場合であっても、ラップフィルム用保持体が転がることを抑制できる。
【００１１】
ラップフィルム用保持体において、第２保持部は、巻芯の他方の端部を回動可能に保持するとともに、保持する巻芯の軸線方向に沿って見たときにラップフィルム巻回体の端面よりも大きな外形を有する第２保持本体部と、第２保持本体部の外縁部から、第１保持部側に向かって巻芯の軸線方向に沿って延在する第２筒部と、を有し、第２筒部には、巻芯の軸線方向に沿って延在する第２スリットが設けられ、ガイドレールは、第２保持本体部の外縁部に連結され、ガイドレールにおける第２保持本体部に連結される側の端部は、第２スリットの延在方向に沿って第２スリット内に位置していてもよい。この場合、ラップフィルム用保持体は、第２筒部によってラップフィルム巻回体の外周面を保護できる。また、ラップフィルム用保持体は、第２スリットを介してラップフィルムを引き出すことができ、引き出されたラップフィルムをガイドレールに沿ってスライドする切断部によって切断できる。
【００１２】
ラップフィルム用保持体において、ガイドレールは、第１保持部の外縁部と第２保持部の外縁部とを、巻芯の軸線方向に沿って直線状に連結していてもよい。この場合、ラップフィルム用保持体は、切断部をガイドレールに沿って容易にスライドさせることができる。また、ラップフィルム用保持体は、保持する巻芯の軸線方向に沿って見たときにガイドレールが第１保持部の外縁部から外側に飛び出ることを抑制でき、コンパクトな構成となる。
【００１３】
ラップフィルム用保持体において、切断部は、ガイドレールに重ねられる本体部と、本体部に連結され、ガイドレールに対してスライド可能に係合する係合部と、本体部におけるガイドレールに対向する面に設けられた刃と、を有し、係合部と刃とは、ガイドレールの延在方向に沿った位置が互いに異なっていてもよい。この場合、切断部の本体部とガイドレールとの間に刃が位置する状態となる。そして、ラップフィルム用保持体は、係合部よりも刃を先頭にして切断部をスライドさせることができる。すなわち、引き出されたラップフィルムがガイドレールに重ねられた状態で切断部をスライドさせてラップフィルムを切断するときに、刃によってラップフィルムが切断された部分を係合部が通過する。これにより、ラップフィルム用保持体は、ガイドレールにラップフィルムが重ねられた状態で切断部をスライドさせたときに、係合部がラップフィルムに干渉する（引っ掛かる）ことによって切断部のスライドが阻害されることを防止できる。また、ラップフィルム用保持体は、ラップフィルム巻回体の持ち運び時等において、刃が他の物に引っ掛かってしまうこと等を抑制できる。
【００１４】
ラップフィルム用保持体において、刃は、第１刃と、第２刃と、を有し、第１刃と第２刃とは、ガイドレールの延在方向に沿って係合部を挟み込むように本体部に設けられていてもよい。この場合、切断部は、ガイドレールに沿ったいずれの方向に移動させられた場合であっても、第１刃及び第２刃の一方を先頭にしてガイドレールに沿ってスライドすることができる。これにより、ラップフィルム用保持体は、切断部がガイドレールに沿ったいずれの方向に移動させられた場合であって、係合部がラップフィルムに干渉することなく、ラップフィルムを切断できる。
【００１５】
本発明の他の一側面のラップフィルム構造体は、巻芯の軸線周りにラップフィルムが巻き回されたラップフィルム巻回体と、上記のラップフィルム用保持体と、を備える。
【００１６】
このラップフィルム構造体は、ラップフィルムを意図した位置で切断する切断部を備えつつ、ラップフィルム巻回体をコンパクトな構成で保護できる。
【発明の効果】
【００１７】
本発明の種々の側面によれば、ラップフィルムを意図した位置で切断する切断部を備えつつ、ラップフィルム巻回体をコンパクトな構成で保護できる。
【図面の簡単な説明】
【００１８】
【図１】実施形態に係るラップフィルム構造体を示す斜視図である。
【図２】図１のラップフィルム構造体の正面図である。
【図３】図２のIII−III線に沿ったガイドレール周りの断面図である。
【図４】図１のラップフィルム構造体においてラップフィルムを切断する様子を示す斜視図である。
【図５】変形例に係るラップフィルム構造体を示す斜視図である。
【発明を実施するための形態】
【００１９】
以下、本発明の実施形態について図面を参照しながら説明する。なお、図面の説明において同一の要素には同一の符号を付し、重複する説明を省略する。
【００２０】
図１及び図２に示されるように、ラップフィルム構造体１は、ラップフィルム用保持体２、及びラップフィルム巻回体３を備えている。ラップフィルム巻回体３は、ラップフィルム４、及び巻芯５を備えている。
【００２１】
巻芯５は、軸線Ｐに沿って延在する略円筒状の部材である。巻芯５の材質は、例えばボール紙等の紙であってもよい。ラップフィルム４は、巻芯５の外周面に対して、巻芯５の軸線Ｐ周りに巻き回されている。特に、図２に示されるように、巻芯５の両端部（軸線Ｐ方向の両端部）は、ラップフィルム４における軸線Ｐ方向の両端部からそれぞれ突出している。巻芯５におけるラップフィルム４からの突出長さは、後述する切断部４０（本体部４３）におけるガイドレール３０の延在方向（巻芯５の軸線Ｐ方向）の長さより長い。
【００２２】
ラップフィルム４は、例えば、樹脂フィルム等であってもよい。このラップフィルム４は、例えば、食品の包装等に用いられる。ラップフィルム４は、透明なフィルムであってもよく、着色されたフィルムであってもよい。
【００２３】
ラップフィルム用保持体２は、ラップフィルム巻回体３を保持する。ラップフィルム用保持体２は、第１保持部１０、第２保持部２０、ガイドレール３０、及び切断部４０を備えている。第１保持部１０は、略円形板状の部材である。第１保持部１０は、巻芯５の一方の端部を回動可能に保持する。第１保持部１０は、巻芯５の軸線Ｐ方向に沿って見たときに、ラップフィルム巻回体３の端面よりも大きな外形を有している。第１保持部１０の材質は、例えば、樹脂等であってもよい。第１保持部１０は、一部又は全部が透明であってもよい。
【００２４】
同様に、第２保持部２０は、略円形板状の部材である。第２保持部２０は、巻芯５の他方の端部を回動可能に保持する。第２保持部２０は、巻芯５の軸線Ｐ方向に沿って見たときに、ラップフィルム巻回体３の端面よりも大きな外形を有している。第２保持部２０の材質は、例えば、樹脂等であってもよい。第２保持部２０は、一部又は全部が透明であってもよい。なお、第１保持部１０及び第２保持部２０がそれぞれ巻芯５の端部を回動可能に保持する保持構造として、周知の保持構造を採用することができる。
【００２５】
ガイドレール３０は、第１保持部１０の外縁部と第２保持部２０の外縁部とを連結する。すなわち、ガイドレール３０の一方の端部は、第１保持部１０の外縁部に連結される。ガイドレール３０の他方の端部は、第２保持部２０の外縁部に連結される。本実施形態において、ガイドレール３０の一方の端面が、第１保持部１０における第２保持部２０側を向く面に連結されている。同様に、ガイドレール３０の他方の端面が、第２保持部２０における第１保持部１０側を向く面に連結されている。
【００２６】
ここで、ガイドレール３０が連結される第１保持部１０の外縁部とは、第１保持部１０の外縁の近傍の部分を意味する。このため、例えば、ガイドレール３０の一方の端部が、第１保持部１０の外周面１０ａ（図１参照）に連結されていてもよい。同様に、ガイドレール３０が連結される第２保持部２０の外縁部とは、第２保持部２０の外縁の近傍の部分を意味する。このため、例えば、ガイドレール３０の他方の端部が、第２保持部２０の外周面２０ａ（図１参照）に連結されていてもよい。
【００２７】
ガイドレール３０は、直線状の部材である。ガイドレール３０は、第１保持部１０の外縁部と第２保持部２０の外縁部とを、巻芯５の軸線Ｐ方向に沿って直線状に連結する。すなわち、ガイドレール３０は、第１保持部１０及び第２保持部２０によって保持される巻芯５の軸線Ｐ方向に沿って延在する。ガイドレール３０の材質は、例えば、樹脂、金属等であってもよい。
【００２８】
本実施形態において、ガイドレール３０は、図２及び図３に示されるように、四角筒状の部材である。ガイドレール３０は、巻芯５の軸線Ｐ方向に沿ってそれぞれ延在する上板部３０ａ、下板部３０ｂ、側板部３０ｃ、及び側板部３０ｄを含んでいる。上板部３０ａと下板部３０ｂとは、互いに対向している。側板部３０ｃと側板部３０ｄとは、互いに対向している。巻芯５の軸線Ｐ方向に沿って見たときに、上板部３０ａ、側板部３０ｃ、下板部３０ｂ、及び側板部３０ｄがこの並び順で互い連結されることによって、四角筒状のガイドレール３０が形成されている。なお、ここでの、「上」等の向きを示す語句は、ガイドレール３０の構成を説明するために便宜上用いたものであり、この「上」等が示す向きで使用されることに限定されない。
【００２９】
切断部４０は、ガイドレール３０の延在方向に沿ってスライド可能にガイドレール３０に対して係合している。図２及び図３に示されるように、切断部４０は、第１刃（刃）４１、第２刃（刃）４２、本体部４３、及び係合部４４を備えている。本体部４３は、ガイドレール３０の上板部３０ａに重ねられる板状の部材である。
【００３０】
係合部４４は、本体部４３に連結され、ガイドレール３０に対してスライド可能に係合する。より詳細には、係合部４４は、第１係合部４４ａ、及び第２係合部４４ｂを有している。第１係合部４４ａの一方の端部は、第１係合部４４ａがガイドレール３０の側板部３０ｃに対向するように本体部４３に連結されている。第１係合部４４ａの他方の端部は、ガイドレール３０の下板部３０ｂに重なるように屈曲している。第２係合部４４ｂの一方の端部は、第２係合部４４ｂがガイドレール３０の側板部３０ｄに対向するように本体部４３に連結されている。第２係合部４４ｂの他方の端部は、ガイドレール３０の下板部３０ｂに重なるように屈曲している。
【００３１】
これにより、ガイドレール３０の延在方向に沿って見たときに、本体部４３、第１係合部４４ａ、及び第２係合部４４ｂによって囲まれる空間内にガイドレール３０が収容された状態となる。第１係合部４４ａ及び第２係合部４４ｂの端部がガイドレール３０の下板部３０ｂに重なるように屈曲していることにより、切断部４０がガイドレール３０から脱落することが防止される。
【００３２】
第１刃４１及び第２刃４２は、ラップフィルム巻回体３から引き出されたラップフィルム４を切断する。第１刃４１及び第２刃４２の材質は、例えば、ラップフィルム４よりも硬い樹脂、金属等であってもよい。第１刃４１及び第２刃４２は、本体部４３にそれぞれ設けられている。本実施形態において、第１刃４１及び第２刃４２は、本体部４３におけるガイドレール３０（上板部３０ａ）に対向する面にそれぞれ設けられている。
【００３３】
第１刃４１と第２刃４２とは、ガイドレール３０の延在方向に沿って係合部４４を挟み込むように本体部４３に設けられている。すなわち、第１刃４１と、第２刃４２と、係合部４４とは、ガイドレール３０の延在方向に沿った位置が互いに異なっている。
【００３４】
次に、図４を用いて、使用者が、ラップフィルム構造体１からラップフィルム４を引き出して切断する手順について説明する。なお、ラップフィルム構造体１からラップフィルム４を引き出す前に、使用者は、予め切断部４０をガイドレール３０のどちらかの端部に移動させておく。ここでは、使用者が予め切断部４０を第２保持部２０側に移動させた場合を例に説明する。
【００３５】
使用者は、ラップフィルム巻回体３からラップフィルム４を引き出してガイドレール３０の上板部３０ａに重ねる。なお、上述したように、巻芯５の両端部はラップフィルム４から突出している。これにより、切断部４０がガイドレール３０の端部に位置している状態でラップフィルム４がガイドレール３０に重ねられたときに、切断部４０（本体部４３）の上にラップフィルム４が重ねられることがない。
【００３６】
次に、使用者は、切断部４０の本体部４３とガイドレール３０の上板部３０ａとの間にラップフィルム４が挟み込まれるように、切断部４０を第１保持部１０側に向けてスライドさせる。このとき、使用者は、本体部４３をガイドレール３０の上板部３０ａに押し付けるようにして、切断部４０をスライドさせる。本体部４３におけるガイドレール３０側の面には第１刃４１が設けられているため、使用者が切断部４０をスライドさせたときに、第１刃４１によってラップフィルム４が切断される。
【００３７】
なお、切断部４０には、第１刃４１及び第２刃４２が設けられている。このため、切断部４０が予めガイドレール３０の第１保持部１０側の端部に位置させられた状態から、第２保持部２０側に向けてスライドさせられた場合であっても、上記と同様に、ガイドレール３０に重ねられたラップフィルム４が第２刃４２によって切断される。
【００３８】
以上のように、このラップフィルム用保持体２では、第１保持部１０及び第２保持部２０の外形がラップフィルム巻回体３の端面よりも大きいため、ラップフィルム巻回体３の両端部について、それぞれラップフィルム巻回体３の端面及び端部の角部を保護できる。また、ラップフィルム用保持体２は、ラップフィルム４を切断する切断部４０と、切断部４０をスライドさせるガイドレール３０とを備えている。このため、ラップフィルム用保持体２は、切断部４０をガイドレール３０に沿ってスライドさせることによってラップフィルム４を切断できる。すなわち、ラップフィルム用保持体２は、意図しない位置でラップフィルム４が切断されてしまうことなく、ガイドレール３０に沿ってラップフィルムを容易に切断できる。このように、ラップフィルム用保持体２は、ラップフィルム４を意図した位置で切断する切断部４０を備えつつ、ラップフィルム巻回体３をコンパクトな構成で保護できる。
【００３９】
また、ガイドレール３０がラップフィルム巻回体３の外周面に対向しかつ巻芯５の軸線Ｐ方向に沿って延在しているため、ガイドレール３０によってもラップフィルム巻回体３の外周面が保護される。
【００４０】
第１保持部１０及び第２保持部２０の外形がラップフィルム巻回体３の端面よりも大きいため、例えば、ラップフィルム構造体１がテーブル等の上に置かれた場合であっても、ラップフィルム巻回体３の外周面がテーブル等に触れることが無く、ラップフィルム巻回体３がより一層保護される。
【００４１】
ガイドレール３０は、第１保持部１０の外縁部と第２保持部２０の外縁部とを直線状に連結している。この場合、ラップフィルム用保持体２は、切断部４０をガイドレール３０に沿って容易にスライドさせることができる。また、ラップフィルム用保持体２は、巻芯５の軸線Ｐ方向に沿って見たときにガイドレール３０が第１保持部１０の外縁部から外側に飛び出ることを抑制でき、コンパクトな構成となる。
【００４２】
切断部４０において、第１刃４１と、第２刃４２と、係合部４４とは、ガイドレール３０の延在方向に沿った位置が互いに異なっている。この場合、ラップフィルム用保持体２は、係合部４４よりも第１刃４１又は第２刃４２を先頭にして、切断部４０をスライドさせることができる。すなわち、引き出されたラップフィルム４がガイドレール３０に重ねられた状態で切断部４０をスライドさせてラップフィルム４を切断するときに、第１刃４１又は第２刃４２によってラップフィルム４が切断された部分を係合部４４が通過する。これにより、ラップフィルム用保持体２は、ガイドレール３０にラップフィルム４が重ねられた状態で切断部４０をスライドさせたときに、係合部４４がラップフィルム４に干渉する（引っ掛かる）ことによって切断部４０のスライドが阻害されることを防止できる。
【００４３】
切断部４０において、第１刃４１及び第２刃４２は、本体部４３におけるガイドレール３０に対向する面に設けられている。この場合、切断部４０の本体部４３とガイドレール３０との間に第１刃４１及び第２刃４２が位置する状態となる。これにより、ラップフィルム用保持体２は、ラップフィルム構造体１の持ち運び時等において、第１刃４１及び第２刃４２が他の物に引っ掛かってしまうこと等を抑制できる。
【００４４】
第１刃４１と第２刃４２とは、ガイドレール３０の延在方向に沿って係合部４４を挟み込むように本体部４３に設けられている。この場合、切断部４０は、ガイドレールに沿ったいずれの方向に移動させられた場合であっても、第１刃４１及び第２刃４２の一方を先頭にしてガイドレール３０に沿ってスライドすることができる。これにより、ラップフィルム用保持体２は、切断部４０がガイドレール３０に沿ったいずれの方向に移動させられた場合であって、係合部４４がラップフィルム４に干渉することなく、ラップフィルム４を切断できる。
【００４５】
次に、ラップフィルム構造体の変形例について説明する。以下の説明において、上述した実施形態のラップフィルム構造体１と同様の構成要素については同一符合を付して詳細な説明を省略する。図５に示されるように、変形例におけるラップフィルム構造体１Ａは、ラップフィルム用保持体２Ａ、及びラップフィルム巻回体３を備えている。
【００４６】
ラップフィルム用保持体２Ａは、ラップフィルム巻回体３を保持する。ラップフィルム用保持体２Ａは、第１保持部１０Ａ、第２保持部２０Ａ、ガイドレール３０、及び切断部４０を備えている。
【００４７】
第１保持部１０Ａは、第１保持本体部１１、及び第１筒部１２を備えている。第１保持本体部１１は、実施形態における第１保持部１０と同様の構成を有している。すなわち、第１保持本体部１１は、略円形板状の部材である。第１保持本体部１１は、巻芯５の一方の端部を回動可能に保持する。第１保持本体部１１は、巻芯５の軸線Ｐ方向に沿って見たときに、ラップフィルム巻回体３の端面よりも大きな外形を有している。第１筒部１２は、略円筒状の部材である。第１筒部１２は、第１保持本体部１１の外縁部から巻芯５の軸線Ｐ方向に沿って第２保持部２０Ａ側に向けて延在している。第１保持部１０Ａの材質は、例えば、樹脂等であってもよい。第１保持部１０Ａは、一部又は全部が透明であってもよい。
【００４８】
第１筒部１２には、巻芯５の軸線Ｐ方向に沿って延在する第１スリットＳ１が設けられている。ガイドレール３０の一方の端部は、第１保持本体部１１に連結されている。なお、ガイドレール３０における第１保持本体部１１に連結される側の端部は、第１スリットＳ１の延在方向に沿って第１スリットＳ１内に位置している。これにより、第１筒部１２とガイドレール３０との干渉が防止される。
【００４９】
第２保持部２０Ａは、第２保持本体部２１、及び第２筒部２２を備えている。第２保持本体部２１は、実施形態における第２保持部２０と同様の構成を有している。すなわち、第２保持本体部２１は、略円形板状の部材である。第２保持本体部２１は、巻芯５の他方の端部を回動可能に保持する。第２保持本体部２１は、巻芯５の軸線Ｐ方向に沿って見たときに、ラップフィルム巻回体３の端面よりも大きな外形を有している。第２筒部２２は、略円筒状の部材である。第２筒部２２は、第２保持本体部２１の外縁部から巻芯５の軸線Ｐ方向に沿って第１保持部１０Ａ側に向けて延在している。第２保持部２０Ａの材質は、例えば、樹脂等であってもよい。第２保持部２０Ａは、一部又は全部が透明であってもよい。
【００５０】
第２筒部２２には、巻芯５の軸線Ｐ方向に沿って延在する第２スリットＳ２が設けられている。ガイドレール３０の他方の端部は、第２保持本体部２１に連結されている。なお、ガイドレール３０における第２保持本体部２１に連結される側の端部は、第２スリットＳ２の延在方向に沿って第２スリットＳ２内に位置している。これにより、第２筒部２２とガイドレール３０との干渉が防止される。
【００５１】
巻芯５の軸線Ｐ方向において、第１筒部１２と第２筒部２２との間には所定の幅の隙間が設けられている。これにより、使用者は、この隙間を介してラップフィルム用保持体２Ａ内のラップフィルム４の色、残量等を確認できる。第１筒部１２と第２筒部２２との間の隙間は、例えば、ラップフィルム巻回体３における軸線Ｐ方向に沿った長さの略１／３程度であってもよい。
【００５２】
なお、第１スリットＳ１及び第２スリットＳ２の幅（軸線Ｐに直交する方向の幅）は、使用者が第１スリットＳ１及び第２スリットＳ２内に指を入れて切断部４０を操作可能な幅となっている。
【００５３】
次に、使用者が、ラップフィルム構造体１Ａからラップフィルム４を引き出して切断する手順について説明する。なお、ラップフィルム構造体１Ａからラップフィルム４を引き出す前に、使用者は、予め切断部４０をガイドレール３０のどちらかの端部に移動させておく。使用者は、ラップフィルム巻回体３から第１スリットＳ１及び第２スリットＳ２を介してラップフィルム４をラップフィルム用保持体２Ａ外に引き出しつつ、引き出したラップフィルム４をガイドレール３０に重ねる。そして、使用者は、実施形態におけるラップフィルム構造体１と同様に、切断部４０をスライドさせることによってラップフィルム４を切断する。
【００５４】
以上のように、本変形例のラップフィルム用保持体２Ａは、第１保持部１０Ａ及び第２保持部２０Ａによって、ラップフィルム巻回体３の両端部について、それぞれラップフィルム巻回体３の端面及び外周面を保護できる。また、ラップフィルム用保持体２Ａは、第１スリットＳ１及び第２スリットＳ２を介してラップフィルム４を引き出すことができ、引き出されたラップフィルム４をガイドレール３０に沿ってスライドする切断部４０によって切断できる。
【００５５】
以上、本発明の実施形態及び変形例について説明したが、本発明は、上記実施形態及び変形例に限定されない。第１保持部１０及び１０Ａは、保持する巻芯５の軸線Ｐ方向に沿って見たときに、例えば、六角形等の多角形状を呈していていもよい。同様に、第２保持部２０及び２０Ａは、保持する巻芯５の軸線Ｐ方向に沿って見たときに、例えば、六角形等の多角形状を呈していていもよい。これにより、ラップフィルム用保持体２及び２Ａがテーブル等の上に置かれた場合であっても、ラップフィルム用保持体２及び２Ａが転がることを抑制できる。
【００５６】
実施形態において、第１保持部１０の外縁部と第２保持部２０の外縁部とは、ガイドレール３０以外にも、１又は複数の棒状部材によって連結されていてもよい。この場合、棒状部材によってラップフィルム巻回体３の外周面がさらに保護される。同様に、変形例のラップフィルム用保持体２Ａについても、１又は複数の棒状部材によって第１保持部１０Ａと第２保持部２０Ａとが連結されていてもよい。
【００５７】
実施形態におけるラップフィルム用保持体２は、ラップフィルム巻回体３の両端部を第１保持部１０及び第２保持部２０によってそれぞれ保持したが、第２保持部２０が設けられていない構成であってもよい。すなわち、ラップフィルム用保持体２は、第１保持部１０、ガイドレール３０、及び切断部４０を備える構成であってもよい。変形例におけるラップフィルム用保持体２Ａも同様に、第２保持部２０Ａを備えておらず、第１保持部１０Ａ、ガイドレール３０、及び切断部４０を備える構成であってもよい。
【００５８】
また、実施形態におけるラップフィルム用保持体２において、ラップフィルム用保持体２の第２保持部２０に代えて変形例におけるラップフィルム用保持体２Ａの第２保持部２０Ａが設けられていてもよい。
【００５９】
切断部４０は、第１刃４１及び第２刃４２を備えていることに限定されない。例えば、切断部４０は、第２刃４２を備えておらず、第１刃４１のみを備えていてもよい。この場合であっても、切断部４０は、第１刃４１が設けられている側を先頭にしてスライドさせられることにより、係合部４４がラップフィルム４に干渉する（引っ掛かる）ことなく、第１刃４１によってラップフィルム４を切断できる。
【００６０】
ガイドレール３０の形状は、四角筒状としたが、四角筒状に限定されない。ガイドレール３０の形状は、切断部４０がスライド可能に係合できる形状であればよい。
【００６１】
ラップフィルム用保持体２の第１保持部１０及び第２保持部２０には、孔が設けられていてもよい。同様に、ラップフィルム用保持体２Ａの第１保持部１０Ａ及び第２保持部２０Ａには、孔が設けられていてもよい。この場合、ラップフィルム用保持体２及び２Ａの軽量化等を図ることができる。
【符号の説明】
【００６２】
１，１Ａ…ラップフィルム構造体、２，２Ａ…ラップフィルム用保持体、３…ラップフィルム巻回体、４…ラップフィルム、５…巻芯、１０，１０Ａ…第１保持部、１１…第１保持本体部、１２…第１筒部、２０，２０Ａ…第２保持部、２１…第２保持本体部、２２…第２筒部、３０…ガイドレール、４０…切断部、４１…第１刃（刃）、４２…第２刃（刃）、４３…本体部、４４…係合部、Ｓ１…第１スリット、Ｓ２…第２スリット、Ｐ…軸線。
【図１】
2019206413.tif 000003
【図２】
2019206413.tif 000004
【図３】
2019206413.tif 000005
【図４】
2019206413.tif 000006
【図５】
2019206413.tif 000007
【手続補正書】
【提出日】平成30年11月26日(2018.11.26)
【手続補正１】
【補正対象書類名】特許請求の範囲
【補正対象項目名】全文
【補正方法】変更
【補正の内容】
【特許請求の範囲】
【請求項１】
巻芯の軸線周りにラップフィルムが巻き回されたラップフィルム巻回体を保持するラップフィルム用保持体であって、
前記巻芯の一方の端部を回動可能に保持するとともに、保持する前記巻芯の軸線方向に沿って見たときに前記ラップフィルム巻回体の端面よりも大きな外形を有する第１保持部と、
前記第１保持部の外縁部に連結され、前記第１保持部によって保持される前記巻芯の軸線方向に沿って延在するガイドレールと、
前記ガイドレールの延在方向に沿ってスライド可能に前記ガイドレールに対して係合し、前記ラップフィルムを切断する刃を有する切断部と、
を備え、
前記第１保持部は、
前記巻芯の一方の端部を回動可能に保持するとともに、保持する前記巻芯の軸線方向に沿って見たときに前記ラップフィルム巻回体の端面よりも大きな外形を有する第１保持本体部と、
前記第１保持本体部の外縁部から前記巻芯の軸線方向に沿って延在する第１筒部と、
を有し、
前記第１筒部には、前記巻芯の軸線方向に沿って延在する第１スリットが設けられ、
前記ガイドレールは、前記第１保持本体部の外縁部に連結され、
前記ガイドレールにおける前記第１保持本体部に連結される側の端部は、前記第１スリットの延在方向に沿って前記第１スリット内に位置している、ラップフィルム用保持体。
【請求項２】
前記第１保持部は、保持する前記巻芯の軸線方向に沿って見たときに多角形状を呈している、請求項１に記載のラップフィルム用保持体。
【請求項３】
前記巻芯の他方の端部を回動可能に保持するとともに、保持する前記巻芯の軸線方向に沿って見たときに前記ラップフィルム巻回体の端面よりも大きな外形を有する第２保持部をさらに備え、
前記ガイドレールは、前記第１保持部の外縁部と前記第２保持部の外縁部とを連結する、請求項１又は２に記載のラップフィルム用保持体。
【請求項４】
前記第２保持部は、保持する前記巻芯の軸線方向に沿って見たときに多角形状を呈している、請求項３に記載のラップフィルム用保持体。
【請求項５】
前記第２保持部は、
前記巻芯の他方の端部を回動可能に保持するとともに、保持する前記巻芯の軸線方向に沿って見たときに前記ラップフィルム巻回体の端面よりも大きな外形を有する第２保持本体部と、
前記第２保持本体部の外縁部から、前記第１保持部側に向かって前記巻芯の軸線方向に沿って延在する第２筒部と、
を有し、
前記第２筒部には、前記巻芯の軸線方向に沿って延在する第２スリットが設けられ、
前記ガイドレールは、前記第２保持本体部の外縁部に連結され、
前記ガイドレールにおける前記第２保持本体部に連結される側の端部は、前記第２スリットの延在方向に沿って前記第２スリット内に位置している、請求項３又は４に記載のラップフィルム用保持体。
【請求項６】
前記ガイドレールは、前記第１保持部の外縁部と前記第２保持部の外縁部とを、前記巻芯の軸線方向に沿って直線状に連結している、請求項３〜５のいずれか一項に記載のラップフィルム用保持体。
【請求項７】
前記切断部は、
前記ガイドレールに重ねられる本体部と、
前記本体部に連結され、前記ガイドレールに対してスライド可能に係合する係合部と、
前記本体部における前記ガイドレールに対向する面に設けられた前記刃と、
を有し、
前記係合部と前記刃とは、前記ガイドレールの延在方向に沿った位置が互いに異なっている、請求項１〜６のいずれか一項に記載のラップフィルム用保持体。
【請求項８】
前記刃は、第１刃と、第２刃と、を有し、
前記第１刃と前記第２刃とは、前記ガイドレールの延在方向に沿って前記係合部を挟み込むように前記本体部に設けられている、請求項７に記載のラップフィルム用保持体。
【請求項９】
巻芯の軸線周りにラップフィルムが巻き回されたラップフィルム巻回体と、
請求項１〜８のいずれか一項に記載のラップフィルム用保持体と、
を備えるラップフィルム構造体。
【手続補正２】
【補正対象書類名】明細書
【補正対象項目名】０００５
【補正方法】変更
【補正の内容】
【０００５】
本発明の一側面は、巻芯の軸線周りにラップフィルムが巻き回されたラップフィルム巻回体を保持するラップフィルム用保持体であって、巻芯の一方の端部を回動可能に保持するとともに、保持する巻芯の軸線方向に沿って見たときにラップフィルム巻回体の端面よりも大きな外形を有する第１保持部と、第１保持部の外縁部に連結され、第１保持部によって保持される巻芯の軸線方向に沿って延在するガイドレールと、ガイドレールの延在方向に沿ってスライド可能にガイドレールに対して係合し、ラップフィルムを切断する刃を有する切断部と、を備え、第１保持部は、巻芯の一方の端部を回動可能に保持するとともに、保持する巻芯の軸線方向に沿って見たときにラップフィルム巻回体の端面よりも大きな外形を有する第１保持本体部と、第１保持本体部の外縁部から巻芯の軸線方向に沿って延在する第１筒部と、を有し、第１筒部には、巻芯の軸線方向に沿って延在する第１スリットが設けられ、ガイドレールは、第１保持本体部の外縁部に連結され、ガイドレールにおける第１保持本体部に連結される側の端部は、第１スリットの延在方向に沿って第１スリット内に位置している。
【手続補正３】
【補正対象書類名】明細書
【補正対象項目名】０００６
【補正方法】変更
【補正の内容】
【０００６】
このラップフィルム用保持体では、第１保持部の外形がラップフィルム巻回体の端面よりも大きいため、ラップフィルム巻回体の端面及び端部の角部を保護できる。また、ラップフィルム用保持体は、ラップフィルムを切断する切断部と、切断部をスライドさせるガイドレールとを備えている。このため、ラップフィルム用保持体は、切断部をガイドレールに沿ってスライドさせることによってラップフィルムを切断できる。すなわち、ラップフィルム用保持体は、意図しない位置でラップフィルムが切断されてしまうことなく、ガイドレールに沿って意図した位置でラップフィルムを容易に切断できる。このように、ラップフィルム用保持体は、ラップフィルムを意図した位置で切断する切断部を備えつつ、ラップフィルム巻回体をコンパクトな構成で保護できる。また、ラップフィルム用保持体は、第１筒部によってラップフィルム巻回体の外周面を保護できる。さらに、ラップフィルム用保持体は、第１スリットを介してラップフィルムを引き出すことができ、引き出されたラップフィルムをガイドレールに沿ってスライドする切断部によって切断できる。
【手続補正４】
【補正対象書類名】明細書
【補正対象項目名】０００８
【補正方法】削除
【補正の内容】